(57)【要約】【課題】短い測定時間で確実に三相電源の結線状態（欠相や活線）を判定できる三相電源の結線状態判定方法を具現化した結線状態判定装置を提供する。【解決手段】結線状態の判定対象である三相電源のＲ相，Ｓ相，Ｔ相の各被測定導体１４に近接配置した非接触センサ１６で被測定導体１４に流れる各相の相関電圧信号を取得し、ローパスフィルタ１７ａ及びバッファ１７ｂを経由した後、Ｒ相とＳ相との差電圧、Ｓ相とＴ相との差電圧、Ｔ相とＲ相との差電圧を差電圧生成手段１７ｃでそれそれ生成してマイクロコンピュータ１８のＡ／Ｄコンバータ入力ポートＡＮ０〜２へ各々入力し、各差電圧信号の振幅レベルパターンを、予め設定されている結線状態判定条件と対比することで、三相電源の結線状態を判定し、この判定結果を報知回路で報知する。【選択図】図１
2010172120.tif 000002
【特許請求の範囲】
【請求項１】
三相電源における各相の相関電圧信号を取得し、各相の電圧信号の差である３種類の差電圧信号を生成し、１周期以上の測定期間継続して各差電圧信号を測定し、三相電源の結線状態に応じて生ずる、各差電圧信号の振幅レベルパターンに基づいて、予め設定した結線状態判定条件で、前記測定期間内における各差電圧信号の振幅レベルパターンを判定することにより、三相電源の結線状態を判定するようにしたことを特徴とする三相電源の結線状態判定方法。
【請求項２】
三相電源における各相の相関電圧信号を取得する相信号取得手段と、
前記相信号取得手段により取得した各相の電圧信号の差である３種類の差電圧信号を生成する差電圧信号生成手段と、
前記三相電源の結線状態に応じて生ずる、各差電圧信号の振幅レベルパターンに基づいて、予め設定した結線状態判定条件で、前記測定期間内における各差電圧信号の振幅レベルパターンを判定することにより、三相電源の結線状態を判定する結線状態判定手段と、
を備えることを特徴とする三相電源の結線状態判定装置。
【発明の詳細な説明】
【技術分野】
【０００１】
本発明は、三相電源の欠相及び活線を検出する結線状態判定方法と、この方法を具現化した結線状態判定装置に関するものである。
【背景技術】
【０００２】
従来より、三相電源の欠相を検出する方法として、各相の位相差を監視して規定の差を保持しているかどうかを検出する方法が一般に行われている。例えば、三相電源の各相（Ｒ相、Ｔ相、Ｓ相）の各出力を、フォトカプラを介して２値パルスに変換し、マイクロコンピュータの割り込み入力端子へ各々入力し、各相の電圧変化によるＯＮ／ＯＦＦでマイクロコンピュータに割り込みを行い、各相の割り込み発生タイミングから各相の位相差を検出するものがある（例えば、特許文献１を参照）。
【０００３】
このような位相差検出装置では、三相出力が各々１２０度の位相差をもった三相パルス電圧となってマイクロコンピュータの各割り込み入力端子へ入力され、三相パルスの立ち下がり（または、立ち上がり）で割り込みを発生するように設定されており、ある相の割り込み入力端子に入力されたパルスで割り込みが発生すると、この割り込みをトリガとして内蔵タイマを作動させ、他の２つの相で割り込みが発生するまでの時間Ｔ１，Ｔ２を測定し、計測時間Ｔ１，Ｔ２に基づいて欠相を判定するのである。
【０００４】
例えば、交流周波数が５０Ｈｚの場合には、Ｔ１≒３．３（ｍｓ），Ｔ２≒６．７（ｍｓ）で欠相無しと判定でき、６０Ｈｚの場合には、Ｔ１≒２．８（ｍｓ），Ｔ２≒５．６（ｍｓ）で欠相無しと判定できる。一方、欠相が１つある場合には、２つの相が同相となり、残りの１相が１８０°位相のずれた反転波形となる。このとき、どの相が同相となるかは、接続されている負荷によって変わるが、マイクロコンピュータからみれば、特別な差はなく、Ｔ１＝Ｔ２（５０Ｈｚの場合、Ｔ１＝Ｔ２＝１０〔ｍｓ〕、６０Ｈｚの場合、Ｔ１＝Ｔ２＝８．３〔ｍｓ〕）となる。
【０００５】
また、欠相及び活線の状態を検出する検電器として、被検電部との接触によりその被検電部と電気的に接続される検知子を本体部の先端に設けるとともに、本体部の基端から延びる絶縁性の握り部を具備し、本体部内には、検知回路部のアース端子部と電気的に接続された微小なアース電極を設け、握り部を作業者が把持した状態で本体部の先端にある検知子を被検電部に接触させると、被検電部が活線状態にある場合には、対地電圧Ｅに対して、検知子→検知回路部→アース電極と人体（作業者）間に形成される浮遊静電容量Ｃ１→人体→人体と対地間に形成される浮遊静電容量Ｃ２→大地の経路でもって閉回路が形成され、静電誘導電流ｉが流れるため、その検出信号に基づいて被検電部の結線状態を検知回路部で検出するものがある（例えば、特許文献２を参照）。この検電器では、ブザーによる発音やＬＥＤ等による発光で、被検電部の活線状態を報知するものとなっている。
【先行技術文献】
【特許文献】
【０００６】
【特許文献１】特開２００３−１５３４２９号公報
【特許文献２】特開２００２−１４８２８７号公報
【発明の概要】
【発明が解決しようとする課題】
【０００７】
しかしながら、特許文献１に記載された従来の欠相検出装置では、パルス電圧の立ち下がり（立ち上がり）で各相の位相差を測定するため、マイクロコンピュータに入力する波形にノイズがランダムに重畳すると、ノイズをパルスの立ち下がり（立ち上がり）として誤った位相差を測定してしまい、かつ電圧不平衡による位相のずれが生じた場合にも曖昧な値を測定するため、三相電源の結線状態を適切に判定できないという課題がある。
【０００８】
また、特許文献２に記載された従来の検電器で採用されている活線状態検出技術を使って、三相電源の活線状態を判定しようとした場合には、発生した静電誘導電流が被検電部から対地までの間に人体（作業者）を経由するため、被検電部−作業者−対地間それぞれの接している状態や外的要因により測定される電圧が安定せず、測定値を電圧波形に置き換えた場合に、ノイズが測定波形に重畳する不具合が起こるため、三相電源の活線状態を適切に判定することができないという課題をかかえるものであった。
【０００９】
本発明はこのような従来の課題を解決するものであり、短い測定時間で確実に三相電源の結線状態（欠相や活線）を判定できる三相電源の結線状態判定方法と、この方法を具現化した結線状態判定装置の提供を目的とする。
【課題を解決するための手段】
【００１０】
上記の課題を解決するために、請求項１に係る三相電源の結線状態判定方法は、三相電源における各相の相関電圧信号を取得し、各相の電圧信号の差である３種類の差電圧信号を生成し、１周期以上の測定期間継続して各差電圧信号を測定し、三相電源の結線状態に応じて生ずる、各差電圧信号の振幅レベルパターンに基づいて、予め設定した結線状態判定条件で、前記測定期間内における各差電圧信号の振幅レベルパターンを判定することにより、三相電源の結線状態を判定するようにしたことを特徴とする。
【００１１】
また、請求項２に係る三相電源の結線状態判定装置は、三相電源における各相の相関電圧信号を取得する相信号取得手段と、前記相信号取得手段により取得した各相の電圧信号の差である３種類の差電圧信号を生成する差電圧信号生成手段と、前記三相電源の結線状態に応じて生ずる、各差電圧信号の振幅レベルパターンに基づいて、予め設定した結線状態判定条件で、前記測定期間内における各差電圧信号の振幅レベルパターンを判定することにより、三相電源の結線状態を判定する結線状態判定手段と、を備えることを特徴とする。
【発明の効果】
【００１２】
請求項１に係る三相電源の結線状態判定方法によれば、三相電源における各相の相関電圧信号を取得し、各相の電圧信号の差である３種類の差電圧信号を生成し、１周期以上の測定期間継続して各差電圧信号を測定し、三相電源の結線状態に応じて生ずる、各差電圧信号の振幅レベルパターンに基づいて、予め設定した結線状態判定条件で、前記測定期間内における各差電圧信号の振幅レベルパターンを判定することにより、三相電源の結線状態を判定するので、短い測定時間で高精度に三相電源の結線状態を判定できる。
【００１３】
また、請求項２に係る三相電源の結線状態判定装置は、三相電源における各相の相関電圧信号を取得する相信号取得手段と、前記相信号取得手段により取得した各相の電圧信号の差である３種類の差電圧信号を生成する差電圧信号生成手段と、前記三相電源の結線状態に応じて生ずる、各差電圧信号の振幅レベルパターンに基づいて、予め設定した結線状態判定条件で、前記測定期間内における各差電圧信号の振幅レベルパターンを判定することにより、三相電源の結線状態を判定する結線状態判定手段と、を備えるので、短い測定時間で高精度に三相電源の結線状態を判定できる。
【図面の簡単な説明】
【００１４】
【図１】本発明に係る三相電源の結線状態判定装置の実施形態を示す機能ブロック図である。
【図２】三相電源が正常結線時に取得される差電圧信号の一例を示す波形図である。
【図３】（ａ−１）は全て活線状態における各相の相関電圧信号、（ｂ−１）は全て活線状態における差電圧信号の振幅レベルパターン、（ａ−２）はＲ欠相状態における各相の相関電圧信号、（ｂ−２）はＲ欠相状態における差電圧信号の振幅レベルパターン、（ａ−３）はＳ，Ｔ欠相状態における各相の相関電圧信号、（ｂ−３）はＳ，Ｔ欠相状態における差電圧信号の振幅レベルパターンである。
【図４】本実施形態の結線状態判定装置における結線状態判定処理を示すフローチャートである。
【発明を実施するための形態】
【００１５】
次に、本発明に係る三相電源の結線状態判定方法を具現化した結線状態判定装置の実施形態を添付図面に基づいて詳細に説明する。
【００１６】
図１は、本実施形態に係る結線状態判定装置の概略構成を示す機能ブロック図で、結線状態の判定対象である三相電源のＲ相，Ｓ相，Ｔ相の各被測定導体１４に接触しない状態で電圧を測定できるように、機器本体１５に接続した非接触センサ１６を、Ｒ相、Ｔ相、Ｓ相それぞれの被測定導体１４に近接配置して、被測定導体１４に流れる各相の相関電圧信号を静電誘導方式で取得する。なお、本実施形態では、非接触センサ１６を相信号取得手段としたが、これに限定されるものではなく、接触式センサを用いても良い。
【００１７】
上記のように非接触センサ１６により取得した各相の相関電圧信号を結線状態判定回路１７へ入力し、この結線状態判定回路１７にて行った判定結果が、報知回路によって報知（機器本体１５の適所に設けたＬＥＤの点灯／消灯による可視表示やスピーカによる音声出力など）される。
【００１８】
結線状態判定回路１７に入力された各相の相関電圧信号は、ローパスフィルタ１７ａ及びバッファ１７ｂを経由した後、各相の電圧信号の差である３種類の差電圧信号を生成する差電圧信号生成手段としての差電圧生成手段１７ｃで、Ｒ相とＳ相との差電圧、Ｓ相とＴ相との差電圧、Ｔ相とＲ相との差電圧をそれぞれ生成し、結線状態判定手段たるマイクロコンピュータ１８のＡ／Ｄコンバータ入力ポート（ＡＮ０〜２）へ入力する。図２は、前記被測定導体１４の各相に約２００Ｖの電圧を印加した場合に、ＡＮ０〜２にて測定できるそれぞれの差電圧信号をモニタした差電圧信号の一例を示す波形図である。正常な結線時には、それぞれの信号振幅が等しく揃い、波形の歪みも見られない。
【００１９】
ここで、上記マイクロコンピュータ１８にて行う結線状態判定方法について順を追って説明する。
【００２０】
図３は、被測定導体１４に印加する電圧による、それぞれの相関電圧信号と差電圧信号との相関関係を示すもので、図３（ａ−１），（ｂ−１）は、３相全てが活線状態における各相の相関電圧信号波形と差電圧の振幅レベルパターンを示し、図３（ａ−２），（ｂ−２）は、Ｒ欠相状態における各相の相関電圧信号波形と差電圧の振幅レベルパターンを示し、図３（ａ−３），（ｂ−３）は、Ｓ，Ｔ欠相状態における各相の相関電圧信号波形と振幅レベルパターンを示す。
【００２１】
図３（ａ−１）のように、各被測定導体１４のＲ相、Ｓ相、Ｔ相の相関電圧信号の全てに電圧Ｅが印加されていた場合、三相電源の各相と相との電圧位相差は１２０°であるため、図３（ｂ−１）に示すように、それぞれの差電圧信号は全てＥ×√３の電圧として、マイクロコンピュータ１８のＡＮ０〜２に入力される。すなわち、三相電源の全相が活線状態のとき、マイクロコンピュータ１８は全ての差電圧信号を同じ信号振幅（Ｅ×√３）として測定することとなる。
【００２２】
しかし、図３（ａ−２）のように、Ｓ相、Ｔ相の被測定導体１４の相関電圧信号のみに電圧Ｅが印加されていた場合（Ｒ相が欠相である場合）、活線状態である三相電源のＳ相とＴ相との電圧位相差は１２０°であるため、図３（ｂ−２）に示すように、Ｓ相−Ｔ相の差電圧信号のみ、Ｅ×√３となり、Ｒ相−Ｓ相の差電圧信号とＴ相−Ｒ相の差電圧信号は、共にＲ相に電圧が印加されていないため、Ｅの電圧としてマイクロコンピュータ１８に入力される。すなわち、三相電源のある１相が欠相となっているとき、マイクロコンピュータ１８は、２信号を同じ信号振幅Ｅとして、残りの１信号を信号振幅√３Ｅ（他の２信号の√３倍の振幅）として測定することとなる。
【００２３】
また、図３（ａ−３）のように、Ｒ相の被測定導体１４の相関電圧信号のみに電圧Ｅが印加されていた場合（Ｓ，Ｔの２相が欠相である場合）、図３（ｂ−３）に示すように、Ｓ相とＴ相共に電圧が印加されていないため、Ｓ相−Ｔ相の差電圧信号には、電圧は生成されず、Ｒ相−Ｓ相の差電圧信号とＴ相−Ｒ相の差電圧信号は、共にＥの電圧としてマイクロコンピュータ１８に入力される。すなわち、三相電源の２相が欠相となっているとき、マイクロコンピュータ１８は、２信号を同じ信号振幅Ｅとして、残り１信号は電圧のない状態として測定することとなる。
【００２４】
上述したように、三相電源の結線状態は、各相の差電圧信号の、振幅レベルパターンの組み合わせによって判定することが出来る。すなわち、１周期以上の測定期間継続して各差電圧信号を測定し、三相電源の結線状態に応じて生ずる、各差電圧信号の振幅レベルパターンに基づいて、予め設定した結線状態判定条件で、前記測定期間内における各差電圧信号の振幅レベルパターンを判定することにより、三相電源の結線状態を判定できるのである。
【００２５】
これを踏まえて、結線状態判定手段たるマイクロコンピュータ１８にて実行される結線状態判定処理の一具体例を図４に基づき説明する。なお、前処理にて全ての差電圧信号振幅に対して一定の振幅電圧閾値を設定し、全ての差電圧信号に電圧が存在しない条件は除かれているものとする。また、振幅電圧閾値および結線状態判定処理で用いる規定値については、サンプリング周期やノイズの発生形態に応じて適宜決めれば良い。
【００２６】
先ず、各相の差電圧信号（Ｒ相−Ｓ相、Ｓ相−Ｔ相、Ｔ相−Ｒ相）を測定し（ステップＳ１）、その結果から各測定差電圧信号の信号振幅を演算し、各信号振幅値と各信号振幅の大小関係とをマイクロコンピュータ１８内の記憶領域に格納しておく（ステップＳ２）。例えば、最小振幅値：ＭＩＮＶｐｐ、中間振幅値：ＭＩＤＶｐｐ、最大振幅値：ＭＡＸＶｐｐにそれぞれ保存する。このとき、信号振幅値が同じであった場合には、予め定めた格納順に従って、ＭＡＸＶｐｐ，ＭＩＤＶｐｐ，ＭＩＮＶｐｐへ格納するものとし、必ずしもＭＡＸＶｐｐ＞ＭＩＤＶｐｐ＞ＭＩＮＶｐｐの大小関係があるわけではない。
【００２７】
三相電源の結線状態が３線活線（全て活線）の状態であれば、図３を用いて説明したように、差電圧信号の振幅値は全て“Ｅ×√３”となるので、ＭＡＸＶｐｐ＝ＭＩＤＶｐｐ＝ＭＩＮＶｐｐ＝Ｅ×√３となり、それぞれ差電圧信号振幅の差は“０”のみ（ＭＡＸＶｐｐ−ＭＩＤＶｐｐ＝ＭＡＸＶｐｐ−ＭＩＮＶｐｐ＝ＭＩＤＶｐｐ−ＭＩＮＶｐｐ＝０）となる。
【００２８】
三相電源の結線状態が２線活線の状態であれば、図３を用いて説明したように、振幅は“Ｅ”が２線、“Ｅ×√３”が１線のため、ＭＡＸＶｐｐ＝Ｅ×√３、ＭＩＤＶｐｐ＝ＭＩＮＶｐｐ＝Ｅとなり、それぞれ差電圧信号振幅の差は最小で“０”、最大で“（Ｅ×√３）−Ｅ≒Ｅ×０．７３２”となる。
【００２９】
三相電源の結線状態が１線活線の状態であれば、図３を用いて説明したように、振幅は“Ｅ”が２線、“０”が１線のため、ＭＡＸＶｐｐ＝ＭＩＤＶｐｐ＝Ｅ、ＭＩＮＶｐｐ＝０となり、それぞれ差電圧信号の差は最小で“０”、最大で“Ｅ”となる。
【００３０】
つまり、上述の振幅レベルパターンを用いれば、次のように差電圧信号振幅を判定することで、各相の結線状態を特定することができる。
【００３１】
そこで、上記ステップＳ２で保存した各差電圧信号振幅が第１相対振幅判定条件を満たすか否かを判定する（ステップＳ３）。この第１相対振幅判定条件は、３線活線状態を判定するもので、ＭＡＸＶｐｐとＭＩＤＶｐｐとＭＩＮＶｐｐそれぞれの差（ＭＡＸＶｐｐ−ＭＩＤＶｐｐ，ＭＡＸＶｐｐ−ＭＩＮＶｐｐ，ＭＩＤＶｐｐ−ＭＩＮＶｐｐ）が、全て｛ＭＩＮＶｐｐ×√３−ＭＩＮＶｐｐ｝÷２未満であるとする。
【００３２】
具体的に説明すると、１線活線の状態であれば、ＭＩＮＶｐｐ＝０であるため、｛０×√３−０｝÷２＝０となり、それぞれ差電圧信号の差の最大は“Ｅ”であるため、第１相対振幅判定条件を満たさず、２線活線の状態であれば、ＭＩＮＶｐｐ＝Ｅであるため、｛Ｅ×√３−Ｅ｝÷２≒Ｅ×０．３６６となり、それぞれ差電圧信号振幅の差の最大は“（Ｅ×√３）−Ｅ≒Ｅ×０．７３２”であるため、第１相対振幅判定条件を満たさない。
【００３３】
しかしながら、３線活線の状態であれば、ＭＩＮＶｐｐ＝Ｅ×√３であるため、｛（Ｅ×√３）×√３−（Ｅ×√３）｝÷２≒Ｅ×０．６３４となり、差電圧信号振幅それぞれの差は全て“０”であるため、第１相対振幅判定条件を満たす。すなわち、ステップＳ３で第１相対振幅判定条件を満たすと判定された場合には、Ｒ相、Ｓ相、Ｔ相全ての相が活線状態であると判定することができ、その旨を報知する（ステップＳ４）。
【００３４】
一方、上記ステップＳ３で第１相対振幅判定条件を満たさないと判定された場合には、上記ステップＳ２で保存した各差電圧信号振幅が第２相対振幅判定条件を満たすか否かを判定する（ステップＳ５）。この第２相対振幅判定条件は、ＭＩＤＶｐｐ−ＭＩＮＶｐｐ≦（ＭＩＮＶｐｐ×√３−ＭＩＮＶｐｐ）÷２、または、ＭＡＸＶｐｐ−ＭＩＤＶｐｐ≧（ＭＩＤＶｐｐ×√３−ＭＩＤＶｐｐ）÷２であるとする。
【００３５】
具体的に説明すると、１線活線の状態であれば、ＭＡＸＶｐｐ＝ＭＩＤＶｐｐ＝Ｅ、ＭＩＮＶｐｐ＝０であるため、Ｅ−０≦（０×√３−０）÷２＝Ｅ≦０、または、Ｅ−Ｅ≧（Ｅ×√３−Ｅ）÷２≒０≧Ｅ×０．３６６となり、第２相対振幅判定条件を満たさない。
【００３６】
しかしながら、２線活線の状態であれば、ＭＡＸＶｐｐ＝Ｅ×√３、ＭＩＤＶｐｐ＝ＭＩＮＶｐｐ＝Ｅであるため、Ｅ−Ｅ≦（Ｅ×√３−Ｅ）÷２≒０≦Ｅ×０．３６６、または、Ｅ×√３−Ｅ≧（Ｅ×√３−Ｅ）÷２≒Ｅ×０．７３２≧Ｅ×０．３６６となり、第２相対振幅判定条件を満たす。そして、活線相同士の差電圧信号振幅が最大振幅値となることから、ＭＡＸＶｐｐがＳ相−Ｔ相の差電圧信号振幅であった場合は、Ｒ相が欠相、Ｓ相とＴ相が活線と判断でき、ＭＡＸＶｐｐがＴ相−Ｒ相の差電圧信号振幅であった場合は、Ｓ相が欠相、Ｒ相とＴ相が活線と判断でき、ＭＡＸＶｐｐがＲ相−Ｓ相の差電圧信号振幅であった場合は、Ｔ相か欠相、Ｒ相とＳ相が活線と判定することができ、その旨を報知する（ステップＳ６）。
【００３７】
一方、上記ステップＳ５で第２相対振幅判定条件を満たさないと判定された場合には、上記ステップＳ２で保存した各差電圧信号振幅が第３相対振幅判定条件を満たすか否かを判定する（ステップＳ７）。この第３相対振幅判定条件は、ＭＩＤＶｐｐ−ＭＩＮＶｐｐ≧（ＭＩＮＶｐｐ×√３−ＭＩＮＶｐｐ）÷２、かつ、ＭＡＸＶｐｐ−ＭＩＤＶｐｐ≦（ＭＩＤＶｐｐ×√３−ＭＩＤＶｐｐ）÷２であるとする。
【００３８】
すなわち、１線活線の状態であれば、ＭＡＸＶｐｐ＝ＭＩＤＶｐｐ＝Ｅ、ＭＩＮＶｐｐ＝０であるため、Ｅ−０≧（０×√３−０）÷２＝Ｅ≧０、かつ、Ｅ−Ｅ≦（Ｅ×√３−Ｅ）÷２≒０≦Ｅ×０．３６６となり、第３相対振幅判定条件を満たす。そして、欠相同士の差電圧信号振幅が最小振幅値となるため、ＭＩＮＶｐｐがＳ相−Ｔ相の差電圧信号振幅であった場合は、Ｒ相が活線、Ｓ相とＴ相が欠相と判断でき、ＭＩＮＶｐｐがＴ相−Ｒ相の差電圧信号振幅であった場合は、Ｓ相が活線、Ｒ相とＴ相が欠相と判断でき、ＭＩＮＶｐｐがＲ相−Ｓ相の差電圧信号振幅であった場合は、Ｔ相が活線、Ｒ相とＳ相が欠相と判定することができ、その旨を報知する（ステップＳ８）。
【００３９】
さらに、上記ステップＳ７で第３相対振幅判定条件の条件にも当てはまらない場合には、ノイズ及び電圧不平衡による影響にて異常な信号が入力されたと判断し、判定異常である旨を報知する（ステップＳ９）。このように、第１〜第３相対振幅判定条件に基づいて結線状態を判定すれば、欠相を特定できない異常な測定結果を誤判定することも回避でき、信頼性の高いものとなる。そして、この高精度な結線状態判定機能を検電器や検相器に搭載すれば、対地間の電圧及び、測定時の状態に影響されることが少なく、結線状態を正確に判定することができ、検電器や検相器として信頼性の高いものとなる。
【００４０】
上述したように、本実施形態の結線状態判定装置によれば、１周期以上という短い測定時間で高精度に三相電源の結線状態を判定できる。なお、１周期の差電圧波形の測定からでも結線状態を判定できるものの、精度を向上させるためには、測定期間を長く設定（例えば、２周期以上の測定期間を設定）したり、複数回に渡る差電圧信号の検出を行い、全ての検出結果が同一の判定結果となったときに、これを最終判定結果として報じたり、するようにすれば、より精度の高い結線状態判定を行うことができる。また、判定に用いる結線状態判定条件は、上述した第１〜第３相対振幅判定条件を用いるものに限らず、適宜に設定すれば良い。例えば、欠相の有無のみを判定できればよい場合には、第１相対振幅判定条件のみを結線状態判定条件に設定すれば良い。
【００４１】
また、本実施形態の結線状態判定装置は、スター結線の三相電源に対して結線状態の判定を行うものとしたが、結線状態判定の対象である三相電源はこれに限定されるものではなく、デルタ結線等、他の仕様の三相電源に対して用いることもできる。さらに、本実施形態では、結線状態判定手段の機能をマイクロコンピュータで実現するものとしたが、アナログ回路によって結線状態判定手段の機能を構成しても良い。
【００４２】
以上は、本発明に係る三相電源の結線状態判定方法を適用した結線状態判定装置の実施形態を添付図面に基づいて説明したが、本発明の包摂範囲は、この実施形態に限定されるものではなく、公知既存の手法を適宜転用することで実現しても構わない。
【符号の説明】
【００４３】
１４    被測定導体（三相電源：Ｒ相、Ｓ相、Ｔ相）
１５    機器本体（検電器あるいは検相器）
１６    非接触センサ
１７    結線状態判定回路
１７ｃ  差電圧生成手段
１８    マイクロコンピュータ（結線状態判定手段）
【図１】
2010172120.tif 000003
【図２】
2010172120.tif 000004
【図３】
2010172120.tif 000005
【図４】
2010172120.tif 000006